(57)【要約】【課題】単一のＳＩＭカード装着部に同時に２枚のＳＩＭカードの装着可能にし、２枚のＳＩＭカードのうち使用するＳＩＭカードの選択操作の簡素化を可能とし、紛失及び破損等を防止する。【解決手段】携帯電話機本体の筺体の一部又は電池の一部に設けられたＳＩＭカードの電極に対応する接点１２を備える基板１と、前記基板１の端部に設けられた前記基板１と並行なピン３２により回動可能なヒンジ部材３１と、前記ヒンジ部材３１の側面に設けられた前記ピンと直角方向の回動軸４と、前記回動軸４に設けられた両面にＳＩＭカードを搭載可能なＳＩＭカード保持板２１とを備える。【選択図】        図２
2004228694.tif 000002
【特許請求の範囲】
【請求項１】
携帯電話機本体の筺体の一部又は電池の一部に設けられたＳＩＭカードの電極に対応する接点を備える接点配置面と、前記接点配置面の端部に設けられた前記接点配置面と並行なピンにより回動可能なヒンジ部材と、前記ヒンジ部材の側面に設けられた前記ピンと直角方向の回動軸と、前記回動軸に設けられた両面にＳＩＭカードを搭載可能なＳＩＭカード保持板と、を備えることを特徴とする携帯電話機のＳＩＭカード取付構造。
【請求項２】
前記接点配置面は、携帯電話機の裏面の電池取付部内に設けられることを特徴とする請求項１記載の携帯電話機のＳＩＭカード取付構造。
【請求項３】
前記接点配置面は、携帯電話機の裏面に設けた電池取付部内に取り付けられる電池の携帯電話機の筺体面と相対する面に設けられることを特徴とする請求項１記載の携帯電話機のＳＩＭカード取付構造。
【請求項４】
前記ＳＩＭカード保持板は、前記回動軸と係合する端部に隣接する２辺にそれぞれ設けられたＳＩＭカード挿入時のＳＩＭカード案内部材を備えることを特徴とする請求項１ないし３記載の携帯電話機のＳＩＭカード取付構造。
【請求項５】
ＳＩＭカードの電極に対応する接点を上面に備える平台と、前記平台の端部に設けられた前記平台と並行なピンにより回動可能なヒンジ部材と、前記ヒンジ部材の側面に設けられた前記ピンと直角方向の回動軸と、前記回動軸に設けられた両面にＳＩＭカードを搭載可能なＳＩＭカード保持板と、を備えることを特徴とするＳＩＭカードソケット。
【請求項６】
前記ＳＩＭカード保持板は、前記回動軸と係合する端部に隣接する２辺にそれぞれ設けられたＳＩＭカード挿入時のＳＩＭカード案内部材を備えることを特徴とする請求項５記載のＳＩＭカードソケット。
【発明の詳細な説明】
【０００１】
【発明が属する技術分野】
本発明は、携帯電話機に関し、特に、複数のＳＩＭカードを装着することが可能な携帯電話機のＳＩＭカード取付構造及びＳＩＭカードソケットに関する。
【０００２】
【従来の技術】
海外で主流となっているＧＳＭ（ｇｌｏｂａｌ  ｓｙｓｔｅｍ  ｆｏｒ  ｍｏｂｉｌｅ  ｃｏｍｍｕｎｉｃａｔｉｏｎ）方式やＷ−ＣＤＭＡ方式の携帯電話システムでは、利用者は複数の通信事業者との契約利用者となり、携帯電話機に該契約利用者であることを識別する電話番号等の使用者情報（電話回線網の使用許可、認証等の情報）や電話帳などのユーザー登録情報をＳＩＭ（Ｓｕｂｓｃｒｉｂｅｒ  Ｉｄｅｎｔｉｔｙ  Ｍｏｄｕｌｅ：加入者認識用モジュール）カードと呼ばれるメモリーカードに書き込み、そのカードを携帯電話機に装着することで、他の携帯電話ネットワークとの接続を可能にする方式が採られている。このＳＩＭカードによって、１回線の契約で用途に合わせて複数の携帯電話端末を使い分けることを可能にしているが、併せて、１台の携帯電話端末で場所や状況に応じて複数の電話番号を使い分けることも可能となる。
【０００３】
つまり、異なる通信事業者がサービスを提供している２つ携帯電話サービス・エリアの間を移動する場合、ローミング（ｒｏａｍｉｎｇ）サービス（通信事業者が別の通信事業者のエリアでも自社の携帯電話機を使用できるようにするサービス）を提供していない場合などに、移動先のエリア（例えば日本から海外に出た時など）における通信事業者と契約を結び、そのＳＩＭカードを入手することにより、別の通信事業者のエリアでも通話が可能になる。
なお、前述のＳＩＭカードは日本国内の標準デジタル携帯電話方式であるＰＤＣ（ｐｅｒｓｏｎａｌ  ｄｉｇｉｔａｌ  ｃｅｌｌｕｌａｒ）方式では使用できないが、前記各方式に加えてＴＤＭＡ（時分割多元接続）方式のデジタル・セルラー電話システムでもローミングを可能とするネットワークの接続管理は標準となっている。
【０００４】
以上のような複数の通信事業者のネットワークサービスを享受できるためには、携帯電話機にＳＩＭカードを装着可能な構造を備える必要があり、かかるＳＩＭカードの取付構造としては、例えば、携帯電話機の本体裏面の電池を装着する電池装着溝部に単一のＳＩＭカードを装着可能に構成したもの、電池装着溝部に装着する電池の装着面側に１ないし複数のＳＩＭカードを装着可能としたもの（特許文献１参照）が知られている。
【０００５】
図３は、前者のＳＩＭカード装着構造を示す図である。携帯電話機１Ａの裏面の電池２Ａの装着部３Ａに、ＳＩＭカードの装着用の凹部を形成し、当該凹部４Ａ内に携帯電話機の内部回路と電気的に接続された複数の接点５Ａを備える。更に、前記凹部４Ａの一辺にはヒンジ構造６Ａによりヒンジ軸の回りに回動可能なＳＩＭカード保持部７Ａを備える。
【０００６】
このＳＩＭカード装着構造は、ＳＩＭカード保持部７Ａの断面Ｌ字のＳＩＭカード案内部材にＳＩＭカードを挿入し、ＳＩＭカード保持部７Ａを前記ヒンジ構造のヒンジ軸の回りに回動して閉じることにより、ＳＩＭカードの端子と前記接点５Ａとを接続するように構成される。
【０００７】
図４は、後者のＳＩＭカード装着構造を示す図である。携帯電話機１Ｂの本体裏面の電池２Ｂの装着部３Ｂに形成したＳＩＭカードの装着用の凹部４Ｂに、ＳＩＭカードを装着する代わりに、電池装着時に電池２Ｂの対応する平面位置にＳＩＭカードに類似する平台５Ｂを設け、当該平台５Ｂに端子を設けるとともに、電池の他の位置にＳＩＭカード装着用の凹部６Ｂを設け、前記凹部内に前記平台の電極と電気的に接続され、ＳＩＭカードの電極に対応する位置に配置した複数の接点を備え、前記複数の凹部内にそれぞれＳＩＭカード７Ｂを装着することを可能とし、さらに別途使用するＳＩＭカードの選択スイッチを設ける構成を備える（特許文献１参照）。
【０００８】
この種の携帯電話機はＳＩＭカードの装着状態で携帯電話機の電源を入れると、ＳＩＭカード内に記憶されている各種情報を読み取って、その情報を元に、ユーザーが契約している複数の通信事業者のネットワークに接続することが可能となる。
【０００９】
【特許文献１】
実用新案登録第３０７１５０９号
【００１０】
【発明が解決しようとする課題】
しかし、前述の携帯電話機のＳＩＭカード装着構造では、装着するＳＩＭカードの個数だけコンタクト（接点）等を備える凹部構造を配置する必要があるものであり、ユーザーがＳＩＭカードを複数利用する可能性を想定して、その機能を担保するために複数のＳＩＭカード用の凹部構造を配置することは、ユーザー毎にＳＩＭカードを使用するか否かが異なり、使用する場合の個数等も異なることから、凹部構造の最適個数を設計すること自体からして困難な問題であり、更に多数の凹部構造を設けることは携帯電話機という極めて小さい筺体の構造を複雑化し、携帯電話機のコストアップを招くという点でも問題がある。
【００１１】
また、ＳＩＭカードは紛失した場合、他人に電話回線を勝手に使用されてしまう恐れがあるので、誤って脱落することを防止するため、従来、電池を取り外さなければ交換できない構造としているが、使用していないＳＩＭカードについては、非常に小さいことから紛失する危険性も高かった。
【００１２】
また、グローバル化が進む中で、海外へ頻繁に出かける携帯電話機のユーザーも多くなり、海外で携帯電話機に２枚以上のＳＩＭカードを使用し、ＳＩＭカードの挿入、取り出し等の操作を必要とすることも今後増加すること見込まれるとともに、同一エリア内でも２つの電話番号を１台の携帯電話機で共用する（仕事用／プライベート用の電話番号を時分割で切り替えて使用する）場合などには、同様に複数のＳＩＭカードを使用し、複数のＳＩＭカードの入れ換えを頻繁に行う使用方法をとるユーザーも増えることが予想されるが、従来のＳＩＭカード装着構造では、その都度、ＳＩＭカードの抜き取り、挿入等、手間がかかる交換作業を必要とするため、操作が煩雑であるという難点を有していた。
【００１３】
（目的）
本発明の目的は、以上の問題を解決するものであり、コンタクト（接点）等を備える装着部の倍の個数のＳＩＭカードの利用、保持を可能とする携帯電話機のＳＩＭカード取付構造及びＳＩＭカードソケットを提供することにある。
【００１４】
本発明の目的は、単一のＳＩＭカード装着部に同時に２枚のＳＩＭカードの装着可能にし、装着した２枚のＳＩＭカードのうち使用するＳＩＭカードの選択、切替の操作の簡素化を可能とした携帯電話機のＳＩＭカード取付構造及びＳＩＭカードソケットを提供することにある。
【００１５】
本発明の目的は、複数のＳＩＭカードの使用に関し、ＳＩＭカードの紛失及び破損等を防止することを可能とする携帯電話機のＳＩＭカード取付構造及びＳＩＭカードソケットを提供することにある。
【００１６】
【課題を解決するための手段】
本発明の携帯電話機のＳＩＭカード取付構造は、携帯電話機本体の筺体の一部又は電池の一部に設けられたＳＩＭカードの電極に対応する接点を備える接点配置面と、前記接点配置面の端部に設けられた前記接点配置面と並行なピンにより回動可能なヒンジ部材と、前記ヒンジ部材の側面に設けられた前記ピンと直角方向の回動軸と、前記回動軸に設けられた両面にＳＩＭカードを搭載可能なＳＩＭカード保持板と、を備えることを特徴とする。また、前記接点配置面は、携帯電話機の裏面の電池取付部内に設けられることを特徴とし、又は、携帯電話機の裏面に設けた電池取付部内に取り付けられる電池の携帯電話機の筺体面と相対する面に設けられることを特徴とする。
【００１７】
更に、前記ＳＩＭカード保持板は、前記回動軸と係合する端部に隣接する２辺にそれぞれ設けられたＳＩＭカード挿入時のＳＩＭカード案内部材を備えることを特徴とする。
【００１８】
本発明のＳＩＭカードソケットは、ＳＩＭカードの電極に対応する接点を上面に備える平台と、前記平台の端部に設けられた前記平台と並行なピンにより回動可能なヒンジ部材と、前記ヒンジ部材の側面に設けられた前記ピンと直角方向の回動軸と、前記回動軸に設けられ、両面にＳＩＭカードを搭載可能なＳＩＭカード保持板と、を備えることを特徴とし、更に、前記ＳＩＭカード保持板は、前記回動軸と係合する端部に隣接する２辺にそれぞれ設けられたＳＩＭカード挿入時のＳＩＭカード案内部材を備えることを特徴とする。
【００１９】
本発明の携帯電話機は、１台の携帯電話機で複数の電話番号を使い分けたい時に、当該枚数のＳＩＭカードを装着しておき、電源投入時、使用するＳＩＭカードを選択することを可能にしたことを特徴とする。
【００２０】
【発明の実施の形態】
本発明の携帯電話機のＳＩＭカード取付構造及びＳＩＭカードソケットの実施の形態について説明する。
（構成の説明）
図１は、本発明のＳＩＭカード取付構造を有する携帯電話機の外観を示す図である。本例では、携帯電話機１０１の電池１０２を取り付ける電池取付部（キャビティ）１０３内に取り付けられるＳＩＭカードの収納、交換機構１０４の外観を示している。
【００２１】
図２は、本発明のＳＩＭカード取付構造の一実施の形態を示す図である。ＳＩＭカード取付構造の部分のみを示しており、２枚のＳＩＭカード５、６を装着することを可能とし、携帯電話機１０１側との電気的な接続の切り替えを簡単に行うことを可能としたものである。
【００２２】
本実施の形態は、電池取付部１０３の内壁に取り付けられる両側部に切り欠き１４を有し接点配置面を有する基板（平台）１と、基板１の端部に回動可能に取り付けられるヒンジ部３と、ヒンジ部３に回動可能な回動軸４を介して設けられたＳＩＭカードを保持するＳＩＭカード保持部２とから構成される。
【００２３】
基板１は、ＳＩＭカードの電極（端子）５１に対応する位置の複数のコンタクトホール（溝）１１を備え、溝１１内にＳＩＭカードの複数の電極５１と接触するそれぞれコンタクト（接点）１２が設けられ、該接点１２は携帯電話機の図示しない回路と裏面側で接続されている。また、基板１の端部中央の凸部１３は、後述するＳＩＭカード保持部２との係合時に、基板１とＳＩＭカード保持部２との正確な位置決めを実現するものである。
【００２４】
また、基板１の端部には、ピン３２により回動可能に設けられた断面がコ字状のヒンジ部材３１を備え、ヒンジ部材３１の側面には回動可能な円筒状の回動軸４を介してＳＩＭカード保持部２のＳＩＭカード保持板２１が設けられている。ＳＩＭカード保持板２１の両面の両側部には、それぞれ前記回動軸４の軸方向と平行で断面がＬ字状であり、基板１の切り欠き部１４に対応する位置に設けられた、一対のＳＩＭカードの挿入ガイド及び保持用のＳＩＭカード案内部材２３、２４と、挿入したＳＩＭカードの端部を係止するストッパー２５と、基板１の凸部１３と係合する凹部２２とを備える。
（動作の説明）
本実施の形態の携帯電話機のＳＩＭカード取付構造及びＳＩＭカードソケットは、ＳＩＭカードを同時に２枚装着可能であり、使用するＳＩＭカード５、６を挿入及び引き抜きにより入れ換えることなく選択可能な機能を有する。以下、図２を参照して、本実施の形態の動作を説明する。
【００２５】
図２に示すように、本実施の形態の構造は、接点１２を備える基板１に対し、ＳＩＭカード保持部２は、基板（接点パネル）１の面方向と平行なピン３２を軸として回動可能なヒンジ部３に設けられ、且つピン３２と直交方向の回動軸４により回動可能に設けられている。この結果、ＳＩＭカード保持部２は回動軸４の回動により１８０°ないし３６０°回動可能であり、また、ヒンジ部３の回動により、ＳＩＭカード保持板２１の各面が基板１の接点１２を備える面方向に折り畳むように回動可能であり、それぞれ複数の接点１２とＳＩＭカードの複数の端子５１とを接続させることが可能である。
【００２６】
携帯電話機の使用者は、携帯電話機１０１の電池１０２を取り外し、ＳＩＭカード保持部２をピン３２を軸に回動することにより起こし、２枚のＳＩＭカード５、６を端子５１が外側になるように背中合わせにＳＩＭカード案内部材２３、２４のガイドにより上部からストッパー２５に係合するまで挿入する。次に、ＳＩＭカード保持部２を回動軸４を軸に使用するＳＩＭカードの端子５１が基板１側に向くように回動し、さらにヒンジ部３をピン３２を軸に回動することによりＳＩＭカード保持部２を倒し、基板１の凸部１３とＳＩＭカード保持板２１の凹部２２とを係合させることにより、基板１の接点１２とＳＩＭカードの端子とを電気的に確実に接続する。
【００２７】
以上のように、本実施の形態の携帯電話機は、電池の収納部内に２枚のＳＩＭカードを背中合わせに装着可能なＳＩＭカード取付構造を備えるＳＩＭカード保持部を３６０°回転可能な構成を有しているから、２枚のＳＩＭカードを装着し、使用するＳＩＭカードを基板１側に向けた後、倒して携帯電話機の内部回路と接続することができ、使用しない方のＳＩＭカードは、電池収納部１０３内にそのまま保存することが可能であり、紛失を防止することができる。
【００２８】
本実施の形態により、携帯電話機の電源を入れる際に、あらかじめ使用するＳＩＭカードを前述の要領で接点と接続するように選択しておけば、電源を投入した時に、携帯電話機ソフトウェアの処理によりＳＩＭカードの情報を自動的に読み込み、該ＳＩＭカードの記録内容に基づいてネットワークへの接続が可能となる。
【００２９】
また、本実施の形態のＳＩＭカード取付構造を複数備える場合は、携帯電話機本体のソフトウェアにより、最初にメニュー画面等を表示させ、使用したいＳＩＭカードを選択できるようなに機能を持たせることで、ハード的な切り換えスイッチを不要にすると好適である。つまり、電源を切らずに切り換えを行うことを可能とする機能を持たせることにより、同一エリア内での切り換えでは切り換え時間が早くなり、操作の手間も省ける。
（他の実施の形態）
以上の実施の形態では、ＳＩＭカード取付構造として基板１を使用する構造を例に示したが、この基板は携帯電話機の電池取付部１０３の内壁をそのまま使用するように構成することも可能であり、また、ＳＩＭカード保持部２を倒した状態で上側のＳＩＭカード（６）のＳＩＭカード案内部材が前記内壁の面と一致するようにＳＩＭカード取付箇所の範囲を凹状に形成すると好適である。
【００３０】
また、携帯電話機へのＳＩＭカードの装着方法としては、携帯電話機の本体に直接設けるように構成する例を説明したが、他の実施の形態として、本体に設ける代わりに図４で説明した構成をそのまま利用し、この従来例のようなＳＩＭカード取付構造に適用することが可能である。つまり、図４に示す構成と同様であり、同図の凹部６Ｂに本発明のＳＩＭカード取付構造を設け、携帯電話機の電池取付部の内壁に対向する電池の面に複数のＳＩＭカードを装着可能に構成する。
【００３１】
また、以上の実施の形態では、携帯電話機のＳＩＭカード取付構造として説明してきたが、更に他の実施の形態として、図２に示す構造を有するＳＩＭカードの取付構造を独立部品であるソケットとして構成し、前述のように携帯電話機又は電池等の所定箇所等に取り付けるようにすることができることは云うまでもない。
【００３２】
更に、以上の実施の形態において、回動軸は基板側を回動可能とすることも、ＳＩＭカード保持部側を回動可能にすることも可能であり、ＳＩＭカード案内部材は、回動軸４の軸方向と直角、つまりピン３２と平行に設け、ＳＩＭカードをピン３２と並行方向に挿入するように変更することも可能である。
【００３３】
【発明の効果】
本発明によれば、ＳＩＭカード保持部が同時に２枚ずつ装着可能な構造であり、各ＳＩＭカードの使用、不使用の取り替えにはＳＩＭカードを取り出すことなく、ＳＩＭカード保持部を起こしたのち、１８０°回転させた後に再びＳＩＭカード保持部を倒す操作を行うだけでＳＩＭカードの取り替えの操作が簡単に完了する。
【００３４】
また、使用しないＳＩＭカードは常に携帯電話機の裏面のキャビティ内に収納されているから、個別保存の必要がなく紛失を防止することが可能である。
【００３５】
更に、簡単な構造によりＳＩＭカード装着部毎に２枚のＳＩＭカードを装着することが可能であるから、少ないコンタクト（接点）構成を採用できユーザーのニーズに低コストで適合することが可能である。
【図面の簡単な説明】
【図１】本発明のＳＩＭカード取付構造を有する携帯電話機の外観を示す図である。
【図２】本発明の携帯電話機のＳＩＭカード取付構造の一実施の形態を示す図である。
【図３】従来のＳＩＭカード取付構造を有する携帯電話機の外観を示す図である。
【図４】従来の他のＳＩＭカード取付構造を有する携帯電話機の外観を示す図である。
【符号の説明】
１  基板（接点パネル）
１１  コンタクトホール
１２  接点（コンタクト）
１３  位置決め凸部
１４  切り欠き部
２  ＳＩＭカード保持部
２１  ＳＩＭカード保持板
２２  位置決め凹部
２３、２４  ＳＩＭカード案内部材（ＳＩＭ挿入ガイド）
２５  ストッパー
３１  ヒンジ部材
３２  ピン
４  回動軸
５、６  ＳＩＭカード
【図１】
2004228694.tif 000003
【図２】
2004228694.tif 000004
【図３】
2004228694.tif 000005
【図４】
2004228694.tif 000006